(57)【要約】【課題】刺し子を生地に施す場合、目数の確認が簡単であり、刺し子が現わす模様と絣模様が渾然一体となって、新たな模様を呈することができる刺し子製品を提供する。【解決手段】手布巾１０には、複数の絣模様要素１７を有する絣生地１２を有しているとともに、相互に隣接する絣模様要素１７の間に刺し子糸１４により刺し子が施されている。刺し子を絣生地１２に施す場合、絣模様要素１７が基準となるため、目数の確認が簡単であり、刺し子が現わす模様と絣模様が渾然一体となって、新たな模様を呈することができる。【選択図】図１
2017002445.tif 000002
【特許請求の範囲】
【請求項１】
複数の絣模様要素が点在して配置された絣生地に対し刺し子が施された刺し子製品であって、相互に隣接する前記絣模様要素の間に前記刺し子が施された刺し子製品。
【請求項２】
前記絣生地には、複数個の前記絣模様要素からなる列及び行が複数個並設されており、
前記列を構成する絣模様要素間、及び、前記行を構成する絣模様要素間の少なくともいずれか一方の絣模様要素間に、刺し子が施されている請求項１に記載の刺し子製品。
【請求項３】
前記複数個の列において、相互に隣接する２つの列のうち、一方の列を構成する各絣模様要素は、同じピッチで離間配置されており、
他方の列の各絣模様要素は、前記ピッチで離間配置されるとともに、前記一方の列を構成する各絣模様要素とは列方向へ前記ピッチの半ピッチ分ずれて配置されている請求項２に記載の刺し子製品。
【請求項４】
前記列を構成する絣模様要素間に施される刺し子が、ランニングステッチまたはダーニングステッチで施されている請求項２または請求項３に記載の刺し子製品。
【請求項５】
前記ランニングステッチまたはダーニングステッチが、前記列と列の間において施されている請求項４に記載の刺し子製品。
【請求項６】
前記絣模様要素の間に施される刺し子が、クロスステッチで施されている請求項２または請求項３に記載の刺し子製品。
【請求項７】
前記クロスステッチが、前記列と列の間において施されている請求項６に記載の刺し子製品。
【発明の詳細な説明】
【技術分野】
【０００１】
本発明は、刺し子製品に関する。
【背景技術】
【０００２】
刺し子糸を衣服、のれん等の台布に施した刺し子製品は、特許文献１で示されているように公知である。刺し子糸を台布に施す場合、型紙の模様を予め台布に書き表してから、台布上の模様に従って行うことが多い。
【０００３】
また、台布に刺し子模様を施す場合、型紙を使用せず、糸の目数を確認しながら模様を刺し現す方法も知られている。
【先行技術文献】
【特許文献】
【０００４】
【特許文献１】実開昭５６−１１２９２号公報
【発明の概要】
【発明が解決しようとする課題】
【０００５】
ところが上記のように型紙の模様を台布に書き表す場合は、その書き現わす作業が必要となる問題がある。
また、型紙を使用せず糸の目数を確認しながら行う場合、目数が多くなればなるほど目数の確認が必要となり煩雑となる問題がある。
【０００６】
本発明の目的は、上記課題を解決して、刺し子を生地に施す場合、目数の確認が簡単であり、刺し子が現わす模様と絣模様が渾然一体となって、新たな模様を呈することができる刺し子製品を提供することにある。
【課題を解決するための手段】
【０００７】
上記問題点を解決するために、本発明の刺し子製品は、複数の絣模様要素が点在して配置された絣生地に対し刺し子が施された刺し子製品であって、相互に隣接する前記絣模様要素の間に前記刺し子が施されたものである。
【０００８】
また、前記絣生地には、複数個の前記絣模様要素からなる列及び行が複数個並設されており、前記列を構成する絣模様要素間、及び、前記行を構成する絣模様要素間の少なくともいずれか一方の絣模様要素間に、刺し子が施されていてもよい。
【０００９】
また、前記複数の列で相互に隣接する２つの列を、それぞれ一方の列と他方の列としたとき、前記一方の列を構成する各絣模様要素は、同じピッチで離間配置されており、前記他方の列の各絣模様要素は、前記ピッチで離間配置されるとともに、前記一方の列を構成する各絣模様要素とは列方向へ前記ピッチの半ピッチ分ずれて配置されていてもよい。
【００１０】
また、前記列を構成する絣模様要素間に施される刺し子が、ランニングステッチまたはダーニングステッチで施されていてもよい。
また、前記ランニングステッチまたはダーニングステッチが、前記列との間において施されていてもよい。
【００１１】
また、前記絣模様要素の間に施される刺し子が、クロスステッチで施されていてもよい。
また、前記クロスステッチが、前記列との間において施されていてもよい。
【発明の効果】
【００１２】
本発明によれば、刺し子を生地に施す場合、目数の確認が簡単であり、刺し子が現わす模様と絣模様が渾然一体となって、新たな模様を呈することができる効果を奏する。
【図面の簡単な説明】
【００１３】
【図１】（ａ）は第１実施形態の手布巾の斜視図、（ｂ）は絣模様の斜視図。
【図２】第２実施形態の手布巾の斜視図。
【図３】第３実施形態の手布巾の斜視図。
【図４】第４実施形態の手布巾の斜視図。
【図５】第５実施形態の手布巾の斜視図。
【発明を実施するための形態】
【００１４】
（第１実施形態）
以下、本発明の刺し子製品を、手布巾に具体化した第１実施形態を図１（ａ）及び図１（ｂ）を参照して説明する。
【００１５】
図１（ａ）に示すように、手布巾１０は、木綿等からなる絣生地１２に対して刺し子糸１４により刺し子模様１６が施されている。
図１（ｂ）に示すように絣生地１２は、複数の絣模様要素１７からなる絣模様１５を有する。本実施形態では、絣模様は、「蚊絣」としているが、「蚊絣」に限定するものではなく、他の形状の絣模様であってもよい。絣模様は、代表的には、同じパターンの絣模様要素を列方向及び行方向に点状にそれぞれ配置したもの、或いは、異なるパターンを組み合わせて、列方向及び行方向に点状にそれぞれ配置したもの等がある。
【００１６】
図１（ｂ）に示すように、本実施形態では、絣模様１５は、絣模様要素１７が列方向へ所定のピッチＰで点在するように配置された列Ｌ１〜Ｌｎ（ｎ＝２、３、……）が行方向において複数個並設されるとともに、相互に隣接する列の絣模様要素１７とは、列方向へ前記ピッチＰの半ピッチ分ずれて配置されることにより構成されている。
【００１７】
図１（ａ）に示すように、本実施形態では、全ての絣模様要素１７間にクロスステッチが施されている。
すなわち、図１（ａ）に示すように、一つ列を挟む２列の間において、刺し子糸１４によるクロスステッチが施されている。図１（ａ）の例では、列Ｌ１と列Ｌ３、列Ｌ３と列Ｌ５間等において、クロスステッチが施されている。
【００１８】
また、本実施形態では、図１（ａ）に示すように、一つの行を挟む２つの行間において、刺し子糸１４によるクロスステッチが施されている。
（第１実施形態の作用）
上記のように構成された手布巾１０を作成する場合、図１（ｂ）に示す絣模様１５を有する絣生地１２に対して、列毎に、その列を構成している各絣模様要素１７間に刺し子糸１４をクロスステッチする。本実施形態では、刺し子糸１４にてクロスステッチを行う場合、列毎に、その列を構成している絣模様要素１７間において、各絣模様要素１７を基準にして列方向に刺し子糸１４でランニングステッチ、またはダーニングステッチを施す。次に、行毎にその行を構成している絣模様要素１７間において、行方向に刺し子糸１４でランニングステッチ、またはダーニングステッチを施す。このクロスステッチを行うとき、絣模様要素１７を基準にして、絣模様要素１７間に刺し子糸１４を縫い込みすればよい。
【００１９】
この結果、型紙を使用することなく、絣模様要素１７を基準にして縫い目の確認を行うことができるため、刺し子糸１４の目数の確認を容易に行うことができる。
本実施形態では、絣模様要素１７間は、列方向及び行方向ともに縫い目の目数が１つであるが、絣模様要素１７間が長い場合には、縫い目の目数を２つ以上としてもよい。
【００２０】
本実施形態では、下記の特徴を有する。
（１）本実施形態の手布巾１０は、複数の絣模様要素１７が点在して配置された絣生地１２に対し刺し子が施された刺し子製品であって、相互に隣接する絣模様要素１７の間に刺し子が施されている。この結果、上記構成により、刺し子を絣生地１２に施す場合、目数の確認が簡単であり、刺し子が現わす模様と絣模様が渾然一体となって、新たな模様を呈することができる。
【００２１】
（２）本実施形態の手布巾１０は、絣生地１２には、複数個の絣模様要素１７からなる列及び行が複数個並設されており、列を構成する絣模様要素１７間、及び、行を構成する絣模様要素１７の両方の絣模様要素間に、刺し子が施されている。このため、列を構成する絣模様要素１７間、及び、行を構成する絣模様要素１７の両方の絣模様要素間に、刺し子が施されている絣生地に対して、刺し子を施す場合、目数の確認が簡単であり、刺し子が現わす模様と絣模様が渾然一体となって、新たな模様を呈することができる。
【００２２】
（３）本実施形態の手布巾１０は、複数個の列Ｌ１〜Ｌｎにおいて、相互に隣接する２つの列のうち、一方の列を構成する各絣模様要素１７は、同じピッチＰで離間配置されており、他方の列の各絣模様要素１７は、ピッチＰで離間配置されるとともに、一方の列を構成する各絣模様要素１７とは列方向へ半ピッチＰ分ずれて配置されている。
【００２３】
この結果、上記構成により、２つの列をそれぞれ構成している複数の絣模様要素が同ピッチで配列されるとともに、列間では相互に半ピッチでずれて配置されている絣生地に対して、刺し子を施す場合、目数の確認が簡単であり、刺し子が現わす模様と絣模様が渾然一体となって、新たな模様を呈することができる効果を奏する。
【００２４】
（４）本実施形態の手布巾１０は、絣模様要素１７の間に施される刺し子が、クロスステッチで施されている。この結果、上記構成により、手布巾１０（刺し子製品）は、クロスステッチで施された刺し子と絣模様とが渾然一体となって新たな模様を呈することができる。
【００２５】
（５）本実施形態の手布巾１０は、クロスステッチが、列と列の間において施されている。この結果、上記構成により、手布巾１０（刺し子製品）は、絣模様要素群からなる列の間において施されたクロスステッチの刺し子と絣模様とが渾然一体となって新たな模様を呈することができる。
【００２６】
（第２実施形態）
次に、第２実施形態の手布巾１０を図２を参照して説明する。なお、本実施形態を含めてこれから説明する各実施形態では、既に説明した他の実施形態の構成と同一または相当する構成については、同一符号を付してその説明を省略し、その実施形態と異なる構成について説明する。
【００２７】
本実施形態では、絣模様要素１７で構成される全体の絣模様１５の配置は、第１実施形態と同様であり、刺し子糸１４によるクロスステッチの配置が第１実施形態と異なっている。具体的には、隣接する列の絣模様要素１７の間において、刺し子糸１４によってクロスステッチが施されている。
【００２８】
図２に示すように、列Ｌ１を構成している絣模様要素１７には、絣生地１２の一方の端から順にＬ１１、Ｌ１２、Ｌ１３、Ｌ１４、Ｌ１５を付す。また、列Ｌ２を構成している絣模様要素１７には、絣生地１２の一方の端から順にＬ２１、Ｌ２２、Ｌ２３、Ｌ２４、Ｌ２５、Ｌ２６を付す。この２列間では、クロスステッチは、Ｌ２１・Ｌ１１間、Ｌ２２・Ｌ１２間、Ｌ２３・Ｌ１３間、Ｌ２４・Ｌ１４間、Ｌ２５・Ｌ１５間にクロスステッチが施されている。以下、同様にして、他の列間は上述したクロスステッチの並ぶ方向に平行となるようにして、相互に隣接する列の絣模様要素１７間にクロスステッチが施されている。
【００２９】
本実施形態では、下記の特徴を有する。
（１）本実施形態の手布巾１０は、クロスステッチが、列と列の間において施されている。この結果、上記構成により、手布巾１０（刺し子製品）は、絣模様要素群からなる列の間において施されたクロスステッチの刺し子と絣模様とが渾然一体となって新たな模様を呈することができる。
【００３０】
（第３実施形態）
次に、第３実施形態の手布巾１０について、図３を参照して説明する。
手布巾１０は、絣模様要素１７であるＬ１１・Ｌ２１間、Ｌ１１・Ｌ２２間、Ｌ１２・Ｌ２２間、Ｌ１２・Ｌ２３間、Ｌ１３・Ｌ２３間、Ｌ１３・Ｌ２４間、Ｌ１４・Ｌ２４間、Ｌ１４・Ｌ２５間、Ｌ１５・Ｌ２５間、Ｌ１５・Ｌ２６間に、ランニングステッチが施されている。なお、ランニングステッチの代りにターニングステッチとしてもよい。
【００３１】
以下、同様に他の列間では、当該列の絣模様要素１７と、隣接する他の列の一対の絣模様要素１７とが、ランニングステッチ等が施されている。
（第３実施形態の作用）
このようにして刺し子糸１４のステッチを形成する際、絣模様要素１７を目印として、絣模様要素１７間に刺し子糸１４を縫い込みすればよい。
【００３２】
なお、本実施形態では、絣模様要素１７間は、縫い目の目数が１つとしているが、絣模様要素１７間が長い場合には、縫い目の目数を２つ以上としてもよい。
この結果、型紙を使用することなく、絣模様要素１７を基準にして縫い目の確認を行うことができるため、刺し子糸１４の目数の確認を容易に行うことができる。
【００３３】
（第４実施形態）
次に、第４実施形態の手布巾１０を、図４を参照して説明する。
本実施形態の絣生地１２における絣模様要素１７の各列における配置は、第１実施形態と同様である。
【００３４】
図４に示すように、手布巾１０は、絣模様要素１７であるＬ３１を中心として、Ｌ１１・Ｌ３１間、Ｌ５１・Ｌ３１間、Ｌ２１・Ｌ３１間、Ｌ４２・Ｌ３１間、Ｌ４１・Ｌ３１間、及びＬ２２・Ｌ３１間に、それぞれ１ステッチの刺し子糸１４が施されていることにより、星形の刺し子模様の要素が形成されている。そして、図４に示すように、この星形の刺し子模様の要素が、相互に隣接する列間において、全体に施されて行列状に配置されている。
【００３５】
（第４実施形態の作用）
上記のように構成された手布巾１０の刺し子を形成する場合は、星形の刺し子模様の要素の中心となる各絣模様要素１７（例えばＬ３１〜Ｌ３６）を有する列毎に、Ｌ１１〜Ｌ１６のそれぞれから行方向へランニングステッチ（または、ダーニングステッチ）を施す。また、列方向においては、星形の中心となる絣模様要素１７（図４では、例えばＬ３１〜Ｌ３６）を有する列を中心にして、列方向へジグザグ状にステッチを施す。以下、同様にして星形の刺し子模様の要素を形成していく。このように刺し子を施す場合、絣模様要素１７（Ｌ１１〜Ｌ１６、Ｌ２１等、Ｌ３１〜Ｌ３６、等）を基準にして、刺し子糸１４を施すことができることになる。
【００３６】
上記のようにして、型紙を使用することなく、絣模様要素１７を基準にして縫い目の確認を行うことができるため、刺し子糸１４の目数の確認を容易に行うことができる。
（第５実施形態）
次に、第５実施形態の手布巾１０を、図５を参照して説明する。
【００３７】
図５に示すように本実施形態では、絣生地１２には、相互に異なる第１の絣模様要素１７Ａと第２の絣模様要素１７Ｂを有する列Ｌ１〜Ｌｎが行方向において並設されている。各列は、第１の絣模様要素１７Ａと第２の絣模様要素１７Ｂとが、列方向において交互に配置されている。
【００３８】
また、絣生地１２は、列方向及び行方向においてそれぞれ等分割されることにより、図５において、左端部の上半分から時計回りで分割領域Ａ〜Ｄの順に区分されている。分割領域Ａと分割領域Ｃでは、行方向に位置された第１の絣模様要素１７Ａの間において、それぞれ列方向にステッチされた刺し子糸１４と、行方向にステッチされた刺し子糸１４が交互に配置されている。
【００３９】
また、分割領域Ｂと分割領域Ｄでは、行方向に位置された第１の絣模様要素１７Ａの間において、１つ置きにクロスステッチされた刺し子糸１４が配置されている。前記クロスステッチは、行方向に向かうステッチと列方向に向かうステッチからなっている。
【００４０】
（第５実施形態の作用）
上記のように構成された手布巾１０の刺し子を形成する場合、分割領域Ａ、Ｃでは、列方向及び行方向にランニングステッチ、或いはダーニングステッチを施す。また、分割領域Ｂ、Ｄでは、列方向にランニングステッチ、或いはダーニングステッチを施し、後に、行方向にランニングステッチ、或いはダーニングステッチを施して、前記クロスステッチを形成する。この場合、各ステッチを、第１の絣模様要素１７Ａを基準にして施す。
【００４１】
このように刺し子を施す場合、第１の絣模様要素１７Ａを基準にして、刺し子糸１４を施すことにより、型紙を使用することなく、第１の絣模様要素１７Ａを基準にして縫い目の確認を行うことができるため、刺し子糸１４の目数の確認を容易に行うことができる。
【００４２】
なお、本発明の実施形態は前記実施形態に限定されるものではなく、下記のように変更しても良い。
・上述した各実施形態では、刺し子製品を手布巾としたが、本発明の刺し子製品は手布巾に限定するものではなく、帯、着物等の衣服、バッグ、財布等の物入れ、お手玉、コースト、或いは、のれん、タペストリー等の飾り物等に具体化してもよい。
【００４３】
・上述した各実施形態では、刺し子は、ランニングステッチ、ダーニングステッチ、クロスステッチしたものを説明したが、これらのステッチに限定するものではなく、他のステッチであってもよい。
【００４４】
・第１実施形態では、全ての絣模様要素１７間にクロスステッチを施したが、全ての絣模様要素１７間ではなく、ところどころの領域における絣模様要素１７間にクロスステッチ等の刺し子を施すようにしてもよい。
【００４５】
・第１実施形態では、絣模様要素１７の間に、クロスステッチを施したが、クロスステッチの代りに、各列を構成する絣模様要素１７の間に、ランニングステッチまたはダーニングステッチを施してもよい（請求項４のサポートの実施形態）。上記構成により、刺し子製品は、ランニングステッチまたはダーニングステッチで施された刺し子と絣模様とが渾然一体となって新たな模様を呈することができる。
【００４６】
・第１実施形態では、隣接する列の絣模様要素１７とは絣模様要素１７を半ピッチずらしていたが、ずらし量は、半ピッチに限定するものではない。
・第１実施形態では、絣生地１２には、複数個の絣模様要素１７からなる列及び行が複数個並設されており、列を構成する絣模様要素１７間、及び、行を構成する絣模様要素１７の両方の絣模様要素間に、刺し子が施されていたが、この構成に限定されるものではない。
【００４７】
例えば、絣生地１２には、複数個の絣模様要素１７からなる列及び行が複数個並設されており、列を構成する絣模様要素１７間、及び、行を構成する絣模様要素１７のいずれか一方の絣模様要素間に、刺し子が施されていてもよい。
【符号の説明】
【００４８】
１０…手布巾（刺し子製品）、１２…絣生地、１４…刺し子糸、
１５…絣模様、１６…刺し子模様、１７…絣模様要素、
Ｌ１〜Ｌｎ…列、Ｌ１１〜Ｌ１５、Ｌ２１〜Ｌ２６…絣模様要素。
【図１】
2017002445.tif 000003
【図２】
2017002445.tif 000004
【図３】
2017002445.tif 000005
【図４】
2017002445.tif 000006
【図５】
2017002445.tif 000007